(57)【要約】      （修正有）【課題】簡易で、かつ安全な操作で時間をかけずにテーブル、机などの脚の床面からの高さを調整でき、かつ天板が傾斜することなく、安定した支持が得られる高さ調整手段を提供する【解決手段】下支持脚１０は中空の管体であって、下方に位置して床面に接触する。調整環２０は上端に、下支持脚１０の上端縁部に当接するに突縁部２１を一体に形成し、下支持脚１０内に挿設する。また、調整環２０の内壁の対向する位置には、軸方向に沿って複数配列される複数の係合ブロック２２を、それぞれ一体に形成する。また係合ブロック２２には複数の溝部２２１を形成する。よって、係合ブロック２２は若干の圧縮性を具える。調整環２０の外周面には、手で回転させる操作を確実に行うことができるように、軸方向に沿って延伸する複数の滑り止め凸条２３を一体に形成する。但し、円周に沿って延伸する凸条としてもよく、または凸条を形成しない滑り止め面としてもよい。【選択図】図３
0003193129.tif 000002
【実用新案登録請求の範囲】
【請求項１】
中空の管体であって、下端が床面に接触する下支持脚と、
該下支持脚の上端縁部に当接する突縁部を一体に形成するとともに内壁に係合部を有して該下支持脚内に挿設する調整環と、
テーブル又は机の天板の底面に取り付けるための位置決め盤を上端に有し、かつ外周面に少なくとも１以上の位置決め調整部材を有し、該調整環と該下支持脚内に挿設する上支持脚と、を具えてなる高さ調整手段であって、
該調整環の該係合部が少なくとも１以上の係合ブロックであって、
該上支持脚の位置決め調整部材が軸方向に沿って配列される接触面であって、かつ２つの接触面の間に嵌合空間を有するとともに、該上支持脚の外周面にはスライド面を有することを特徴とする高さ調整手段。
【請求項２】
前記係合ブロックの底部には円弧状の凹溝を有し、該接触面の該凹溝に対応する位置に凸状部を有することを特徴とする請求項１に記載の高さ調整手段。
【請求項３】
前記係合部は、軸方向に沿って配列された複数の係合ブロックあって、かつ円周上の対抗する位置にそれぞれ配列されることを特徴とする請求項１に記載の高さ調整手段。
【請求項４】
前記係合ブロックに複数の溝部を有することを特徴とする請求項１に記載の高さ調整手段。
【請求項５】
前記位置決め調整部材の該接触面は、矩形の枠であって、且つ該枠には複数の溝部を有することを特徴とする請求項１に記載の高さ調整手段。
【請求項６】
前記位置決め調整部材は、該上支持脚において円周上の対向するそれぞれの位置に配列され、かつ両方の位置決め調整部材の配列の間に平滑なスライド面を有することを特徴とする請求項１に記載の高さ調整手段。
【請求項７】
前記調整部材の一方の配列の片側には、軸方向に延伸する当接条を有することを特徴とする請求項１に記載の高さ調整手段。
【請求項８】
前記上支持脚の底端には、弾性を具え自在に圧縮できる凸ブロックを有することを特徴とする請求項１に記載の高さ調整手段。
【請求項９】
前記調整環の該周面に滑り止め凸条を有することを特徴とする請求項１に記載の高さ調整手段。
【考案の詳細な説明】
【技術分野】
【０００１】
この考案は、テーブル、机などの脚の床面からの高さを簡易な操作で調整するための高さ調整手段に関する。
【背景技術】
【０００２】
従来のテーブル、机などは、床面からの脚の高さは固定されていて、調整することができない。このため、学生、作業者、デスクワークをする人などが活動する場所に提供するには、明らかに不便である。そこで、業界では、これらテーブル、机を使用する場所、必要とする仕様などに応じて高さの調整できる脚が開発された。
【０００３】
テーブル、机などの高さを調整できる脚は、部材を昇降させる機能と、天板に対する支持の安定性を考慮しなければばらない。従来の脚は、スリーブと、支持管とによってなり、該支持管には弾性体で支持した金属製の球体を設け、該スリーブには該金属製の球体が嵌合する複数の位置決め孔を形成する。高さを調整する操作は、指で該金属製の球体を押し圧し、弾性体を圧縮して該球体を押し込み、該スリーブを上下に移動させて高さを調整する。但し、係る操作は容易に行うことができず、また指を傷つける恐れがある。
【０００４】
上述する欠点に鑑み、ねじ式の高さ調整手段が開発された。即ち、スリーブと、該スリーブを支持する支持管とにそれぞれ螺刻し、該スリーブを回転させて脚の高さを調整する。但し、スリーブを回転させる場合に力を入れすぎると過度に移動し、高さの調整に却って時間を費やす。しかも、４本の脚のいずれも同一の高さに調整することは難しく、天板が傾くことになり、使用する上で不便である。
【０００５】
テーブル、机などの脚の高さを調整する手段は、様々な様式のものが開発されているが、但し、いずれもねじ式か、金属製の球体による位置決め、圧入、もしくは係合などの方式の範疇に留まっている。
【考案の概要】
【考案が解決しようとする課題】
【０００６】
この考案は、簡易で、かつ安全な操作で時間をかけずにテーブル、机などの脚の床面からの高さを調整でき、かつ天板が傾斜することなく、安定した支持が得られる高さ調整を提供することを課題とする。
【課題を解決するための手段】
【０００７】
そこで、本考案者は従来の技術に見られる欠点に鑑み鋭意研究を重ねた結果、中空の管体であって、下端が床面に接触する下支持脚と、該下支持脚の上端縁部に当接するに突縁部を一体に形成するとともに内壁に係合部を形成してなり、該下支持脚内に挿設する調整環と、テーブル又は机の天板の底面に取り付けるための位置決め盤を上端に形成し、かつ外周面に少なくとも１以上の位置決め調整部材を形成し、該調整環と該下支持脚内に挿設する上支持脚と、を具えてなる高さ調整手段において、該調整環の該係合部が少なくとも１以上の係合ブロックであって、該上支持脚の位置決め調整部材が軸方向に沿って配列される接触面であって、かつ２つの接触面の間に嵌合空間を形成するとともに、該上支持脚の外周面にはスライドを形成してなる高さ調整手段によって課題を解決できる点に着眼し、係る知見に基づいて本考案を完成させた。以下この考案について説明する。
【０００８】
請求項１に記載する高さ調整手段は、中空の管体であって、下端が床面に接触する下支持脚と、該下支持脚の上端縁部に当接するに突縁部を一体に形成するとともに内壁に係合部を形成してなり、該下支持脚内に挿設する調整環と、テーブル又は机の天板の底面に取り付けるための位置決め盤を上端に形成し、かつ外周面に少なくとも１以上の位置決め調整部材を形成し、該調整環と該下支持脚内に挿設する上支持脚と、を具えてなる高さ調整手段であって、
該調整環の該係合部が少なくとも１以上の係合ブロックであって、
該上支持脚の位置決め調整部材が軸方向に沿って配列される接触面であって、かつ２つの接触面の間に嵌合空間を形成するとともに、該上支持脚の外周面にはスライドを形成する。
【０００９】
請求項２に記載する高さ調整手段は、請求項１における係合ブロックの底部には円弧状の凹溝を形成し、該接触面の該凹溝に対応する位置に凸状部を形成する。
【００１０】
請求項３に記載する高さ調整手段は、請求項１における係合部が、軸方向に沿って配列された複数の係合ブロックあって、かつ円周上の対抗する位置にそれぞれ配列される。
【００１１】
請求項４に記載する高さ調整手段は、請求項１における係合ブロックに複数の溝部を形成する。
【００１２】
請求項５に記載する高さ調整手段は、請求項１における位置決め調整部材の該接触面が矩形の枠であって、且つ該枠には複数の溝部が形成される。
【００１３】
請求項６に記載する高さ調整手段は、請求項１における位置決め調整部材が、該上支持脚において円周上の対向するそれぞれの位置に配列されて形成され、かつ両方の位置決め調整部材の配列の間に平滑なスライド面を形成する。
【００１４】
請求項７に記載する高さ調整手段は、請求項１における調整部材の一方の配列には片側には軸方向に延伸する当接条を形成する。
【００１５】
請求項８に記載する高さ調整手段は、請求項１における上支持脚の底端には、弾性を具え自在に圧縮できる凸ブロックを設ける。
【００１６】
請求項９に記載する高さ調整手段は、請求項１における調整環の該周面に滑り止め凸条を形成する。
【図面の簡単な説明】
【００１７】
【図１】この考案による高さ調整手段をテーブルに応用した使用態様を示した斜視図である。
【図２】この考案による高さ調整手段を組み立てた状態を示した斜視図である。
【図３】図２に開示する高さ調整手段の分解図である。
【図４】図２に開示する高さ調整手段を他の角度から見た斜視図である。
【図５】図２に開示する高さ調整手段從断面の構造を示した断面図である。
【図６】この考案における上支持脚と下支持脚と調整環とにおける係合の関係を示した説明図である。
【図７】この考案におけるロックの動作を示した説明図である。
【図８】この考案におけるロックの状態を示した説明図である。
【図９】この考案による高さ調整手段の使用態様を示した側面からの説明図である。
【考案を実施するための形態】
【００１８】
この考案は、簡易で、かつ安全な操作で時間をかけずにテーブル、机などの脚の床面からの高さを調整でき、かつ天板が傾斜することなく、安定した支持が得られる高さ調整を提供するものであり、中空の管体であって、下端が床面に接触する下支持脚と、  該下支持脚の上端縁部に当接するに突縁部を一体に形成するとともに内壁に係合部を形成してなり、該下支持脚内に挿設する調整環と、テーブル又は机の天板の底面に取り付けるための位置決め盤を上端に形成し、かつ外周面に少なくとも１以上の位置決め調整部材を形成し、該調整環と該下支持脚内に挿設する上支持脚と、を具えてなる高さ調整手段において、該調整環の該係合部が少なくとも１以上の係合ブロックであって、該上支持脚の位置決め調整部材が軸方向に沿って配列される接触面であって、かつ２つの接触面の間に嵌合空間を形成するとともに、該上支持脚の外周面にはスライドを形成してなる。係る高さ調整手段の構造と特徴を詳述するために、具体的な実施例を挙げ、図面を参照にして以下に説明する。
【００１９】
この考案による高さ調整手段は、図１、図２、図３に開示するように、下支持脚１０と、調整環２０と、上支持脚３０とを含んでなる。
【００２０】
下支持脚１０は中空の管体であって、下方に位置して床面に接触する。
【００２１】
調整環２０は上端に、下支持脚１０の上端縁部に当接するに突縁部２１を一体に形成し、下支持脚１０内に挿設する。また、調整環２０の内壁の対向する位置には、軸方向に沿って複数配列される複数の係合ブロック２２を、それぞれ一体に形成する。
【００２２】
また係合ブロック２２には複数の溝部２２１を形成する。よって、係合ブロック２２は若干の圧縮性を具える。調整環２０の外周面には、手で回転させる操作を確実に行うことができるように、軸方向に沿って延伸する複数の滑り止め凸条２３を一体に形成する。但し、円周に沿って延伸する凸条としてもよく、または凸条を形成しない滑り止め面としてもよい。  また、図６に開示するように、係合ブロック２２の底部には、円弧状の凹溝２２２を形成する。
【００２３】
上支持脚３０の上端には、天板４０の底面に螺設するための位置決め盤３１を形成する。また、上支持脚３０は調整環２０と下支持脚１０内に挿設する。上支持脚３０の外周面には、矩形の枠であって、かつ外面を接触面３２１とし、軸方向に沿って配列される位置決め調整部材３２を複数形成する。位置決め調整部材３２の枠には溝部３２２を形成する。  よって、若干の圧縮性を具える。
【００２４】
また、２つの接触面３２１の間に嵌合空間３３を形成し、図６に開示するように、接触面３２１には凸状部３２３を形成する。凸状部３２３は、係合ブロック２２の凹溝２２２に対応する位置に形成する。
【００２５】
また、位置決め調整部材３２は。上支持脚３０の外周面の円周上で対向する位置にそれぞれ形成し、両方の位置決め調整部材３２の配列の間は平滑なスライド面３４とする。また、図４に開示するように、一方の位置決め調整部材３２の片側には軸方向に延伸する当接条３５を形成する。
【００２６】
上支持脚３０の底端には、弾性を具え自在に圧縮できる凸ブロック３６を２つ設ける。凸ブロック３６は調整環２０が上支持脚３０から脱落することを防ぐためのものである。
【００２７】
この考案による高さ調整手段は、上述する構造を具えてなり、組み立てる場合は上支持脚３０の位置決め盤３１を天板４０の底面に螺設し、上支持脚３０の凸ブロック３６をいずれも圧縮して調整環２０を上支持脚３０の外周面に挿設する。さらに、下支持脚１０の上端から調整環２０の外周面を挿設し、かつ下支持脚１０の上端を調整環２０の突縁部２１に当接させて組立を完成させる。上支持脚３０と、調整環２０と、下支持脚１０は、製造工場において完成させてもよい。
【００２８】
図５から図９に開示するように、この考案による高さ調整手段を操作して、机、テーブルなどの高さを調整する場合は、先に調整環２０を回転させてロックを解除する操作を行う。即ち、係合ブロック２２を上支持脚３０のスライド面３４上に位置させ、スライド面３４上に位置する状態において、短時間で必要とする高さとして調整することができる。よって、高さを調整する時間を大幅に短縮することができる。
【００２９】
さらに、調整環２０を回転させて、係合ブロック２２を上支持脚３０の嵌合空間３３に嵌合させ、係合ブロック２２の凹溝２２２と、上支持脚３０の凸状部３２３とを係合させて位置決めし、接触面３２１を係合ブロック２２の支持する面とする。この状態において、ロック、位置決めの動作が完成する。よって、位置決めの操作を短時間で行うことができる。
【００３０】
また、上支持脚３０には当接条３５が調整位置決め部材３２の片側に形成される。これは保護を目的としたものであり、調整環２０を回転させる際に過度に回転させた場合、係合ブロック２２が当接条３５に当接して、回転を続けることが阻止される。よって、調整環２０が空転して正確に位置決めすることができないという事態を防ぐことができる。
【００３１】
この考案においては、上支持脚３０にスライド面３４を形成し、高さの調整に供する。よって、調整環２０を回転させると、調整環２０は上下方向に素早く移動する。従来のねじ式ではゆっくり回転させて高さを調整する。したがって高さ調整の操作に必要とする時間を短縮することができる。また、係合ブロック２２が位置決め調整部材３２によって位置決め、支持され、位置決めした後は極めて安定したロック状が得られ、ロックが予期せず解除される恐れもない。しかも、従来の金属製の球体を押し込む方式のように指を傷つけることもなく、安全な高さ調整を達成することができる。
【００３２】
以上はこの考案の好ましい実施の形態であって、この考案の実施の範囲を限定するものではない、よって、当業者の成しえる修正、もしくは変更であって、この考案の精神の下においてなされ、この考案に対して均等の効果を有するものは、いずれもこの考案の実用新案登録請求の範囲に属するものとする。
【符号の説明】
【００３３】
１０     下支持脚
２０     調整環
２１     突縁部
２２     係合ブロック
２２１   溝部
２２２   凹溝
２３     滑り止め凸条
３０     上支持脚
３１     位置決め盤
３２     位置決め調整部材
３２１   接触面
３２２   溝部
３２３   凸状部
３３     嵌合空間
３４     スライド面
３５     当接条
３６     凸ブロック
４０     天板
【図１】
0003193129.tif 000003
【図２】
0003193129.tif 000004
【図３】
0003193129.tif 000005
【図４】
0003193129.tif 000006
【図５】
0003193129.tif 000007
【図６】
0003193129.tif 000008
【図７】
0003193129.tif 000009
【図８】
0003193129.tif 000010
【図９】
0003193129.tif 000011